(57)【要約】      （修正有）【課題】バッグの肩紐の大幅な長さの調節ができ、作業が容易で簡易迅速に長さを調節することができ、更に、肩紐の取付方法の変更により、複数の使用態様を得ることができ、外観を向上させるバッグを提供する。【解決手段】バッグ本体１２の一方の取付部１５に肩紐１４の一端部の係止部１６を掛け止める。バッグ本体１２の他方の取付部１５に肩紐１４の他端部の係止部１６を掛け止め、通常の肩紐として使用する。バッグ本体１２の横マチ部１２ａまたは底部１２ｂの何れか一方または両方に肩紐ガイド部２１を形成する。バッグ本体の一方の取付部１５に肩紐１４の一端部の係止部１６を掛け止め、または挿通し、肩紐１４の他端部を前記バッグ本体の他方の取付部に挿通しまたは掛け止める。肩紐１４を肩紐ガイド部２１にガイドさせる。【選択図】図３
0003158582.tif 000002
【実用新案登録請求の範囲】
【請求項１】
バッグ本体と、前記バッグ本体に少なくとも２ヶ所の取付部が形成され、肩紐の両端部に係止部が形成され、前記バッグ本体の取付部の一方または両方に肩紐の端部の係止部を掛け止めることができるようになされたバッグにおいて、
前記バッグ本体に肩紐ガイド部が形成され、前記バッグ本体の肩紐ガイド部に前記肩紐をガイドさせ、前記バッグ本体の上部から突出する肩紐の長さを短く調節した状態に保持することができるようになされていることを特徴とするバッグ。
【請求項２】
バッグ本体と、前記バッグ本体に少なくとも２ヶ所の取付部が形成され、肩紐の両端部に係止部が形成され、前記バッグ本体の取付部の一方または両方に肩紐の端部の係止部を掛け止めることができるようになされたバッグにおいて、
前記バッグ本体の横マチ部または底部の何れか一方または両方に肩紐ガイド部が形成され、前記肩紐ガイド部にガイドされ、且つバッグ本体の横マチ部または底部に沿って肩紐を収納した状態に保持することができるようになされていることを特徴とするバッグ。
【請求項３】
バッグ本体と、前記バッグ本体に少なくとも２ヶ所の取付部が形成され、肩紐の両端部に係止部が形成され、前記バッグ本体の取付部の一方または両方に肩紐の端部の係止部を掛け止めることができるようになされたバッグにおいて、
前記バッグ本体に肩紐ガイド部が形成され、前記バッグ本体の一方の取付部に肩紐の一端部の係止部を掛け止め、該肩紐の他端部を前記バッグ本体の他方の取付部に挿通し、肩紐の他端部の係止部を肩紐ガイド部にガイドさせると共に、前記バッグ本体の一方の取付部に挿通し、前記バッグ本体の他方の取付部に肩紐の他端部の係止部を掛け止め、前記バッグ本体の上部から突出する肩紐を把手として使用することができるようになされていることを特徴とするバッグ。
【請求項４】
バッグ本体と、前記バッグ本体に少なくとも２ヶ所の取付部が形成され、肩紐の両端部に係止部が形成され、前記バッグ本体の取付部の一方または両方に肩紐の端部の係止部を掛け止めることができるようになされたバッグにおいて、
前記バッグ本体の横マチ部または底部の何れか一方または両方に肩紐ガイド部が形成され、前記バッグ本体の一方の取付部に肩紐の一端部の係止部を掛け止め、肩紐の他端部を肩紐ガイド部に挿通してガイドさせると共に、前記バッグ本体の他方の取付部に挿通し、肩紐の他端部の係止部を前記肩紐の一端部の係止部と共に前記バッグ本体の一方の取付部に掛け止め、前記バッグ本体の上部から突出する肩紐の長さを短く調節した状態に保持することができるようになされていることを特徴とするバッグ。
【請求項５】
バッグ本体と、前記バッグ本体に少なくとも２ヶ所の取付部が形成され、肩紐の両端部に係止部が形成され、前記バッグ本体の取付部の一方または両方に肩紐の端部の係止部を掛け止めることができるようになされたバッグにおいて、
前記バッグ本体の一方の取付部に肩紐の一端部の係止部を挿通し、前記バッグ本体の他端の取付部に肩紐の他端部の係止部を挿通し、前記バッグ本体の横マチ部または底部の何れか一方または両方に形成された肩紐ガイド部に前記肩紐の一端部及び他端部の係止部を夫々挿通し、肩紐の一端部及び他端部の係止部を相互に係止させ、前記バッグ本体の上部から突出する肩紐の長さを短く調節した状態に保持することができるようになされていることを特徴とするバッグ。
【考案の詳細な説明】
【技術分野】
【０００１】
本考案はバッグに関し、更に詳細に説明すると、バッグ本体と、前記バッグ本体に少なくとも２ヶ所の取付部が形成され、肩紐の両端部に係止部が形成され、前記バッグ本体の取付部の一方または両方に肩紐の端部の係止部を掛け止めることができるようになされたバッグに関する。
【背景技術】
【０００２】
従来より、バッグやリュックサック、更には上半身用外衣等において、肩紐が設けられ、これら肩紐の長さを調節することにより、使用者の希望する最適な長さに調節することができるように種々の調節機構を設けている。
【０００３】
従来のバッグやリュックサックにおいて、肩紐の長さを調節する機構としては、枠状体の中央に芯体を設けた日の字状の簡単な金具を用い、この金具に肩紐をくの字状に屈折させて挿通し、肩紐の一部を二重にして保持することにより肩紐の長さを調節するものが従来からよく知られている。この場合には肩紐が扁平な帯状のものに限定され、簡易迅速に長さを調節することができず、更にデザインを重視したバッグ等に適用することができないものであった。
【０００４】
また、リュックサック等の肩紐の長さ調節機構としては、特許文献１に記載され、またキャミソールやタンクトップ等の上半身用外衣において、肩紐の長さ調節機構としては、特許文献２に記載されている。
【先行技術文献】
【特許文献】
【０００５】
【特許文献１】登録実用新案第３０４８８７０号
【特許文献２】登録実用新案第３０９４６８９号
【考案の開示】
【考案が解決しようとする課題】
【０００６】
然し乍ら、従来のバッグの肩紐においては、大幅な長さの調節が困難であり、従来の簡単な日の字状の金具を用いて肩紐の一部を二重にして保持するものでは作業が煩雑となり、簡易迅速に長さを調節することができないものであった。更に、肩紐の複数の使用態様を得ることができないものであり、例えば、肩紐を取外し、肩紐を収納し、または複数の長さの異なる肩紐としての使用ができず、肩紐を把手として使用することもできないものであった。
【０００７】
本考案の目的は、バッグの肩紐の大幅な長さの調節ができ、作業が容易で簡易迅速に長さを調節することができ、更に、肩紐の取付方法の変更により、複数の使用態様を得ることができ、肩紐の材質が限定されず、外観を向上させることができるバッグを提供するものである。
【課題を解決するための手段】
【０００８】
本考案は上述せる課題に鑑みてなされたもので、本考案の請求項１に記載のバッグは、バッグ本体と、前記バッグ本体に少なくとも２ヶ所の取付部が形成され、肩紐の両端部に係止部が形成され、前記バッグ本体の取付部の一方または両方に肩紐の端部の係止部を掛け止めることができるようになされたバッグにおいて、
前記バッグ本体に肩紐ガイド部が形成され、前記バッグ本体の肩紐ガイド部に前記肩紐をガイドさせ、前記バッグ本体の上部から突出する肩紐の長さを短く調節した状態に保持することができるようになされていることを特徴とする。
【０００９】
また、本考案の請求項２に記載のバッグは、前記バッグ本体の横マチ部または底部の何れか一方または両方に肩紐ガイド部が形成され、前記肩紐ガイド部にガイドされ、且つバッグ本体の横マチ部または底部に沿って肩紐を収納した状態に保持することができるようになされていることを特徴とする。
【００１０】
また、本考案の請求項３に記載のバッグは、前記バッグ本体に肩紐ガイド部が形成され、前記バッグ本体の一方の取付部に肩紐の一端部の係止部を掛け止め、該肩紐の他端部を前記バッグ本体の他方の取付部に挿通し、肩紐の他端部の係止部を肩紐ガイド部にガイドさせると共に、前記バッグ本体の一方の取付部に挿通し、前記バッグ本体の他方の取付部に肩紐の他端部の係止部を掛け止め、前記バッグ本体の上部から突出する肩紐を把手として使用することができるようになされていることを特徴とする。
【００１１】
また、本考案の請求項４に記載のバッグは、前記バッグ本体の横マチ部または底部の何れか一方または両方に肩紐ガイド部が形成され、前記バッグ本体の一方の取付部に肩紐の一端部の係止部を掛け止め、肩紐の他端部を肩紐ガイド部に挿通してガイドさせると共に、前記バッグ本体の他方の取付部に挿通し、肩紐の他端部の係止部を前記肩紐の一端部の係止部と共に前記バッグ本体の一方の取付部に掛け止め、前記バッグ本体の上部から突出する肩紐の長さを短く調節した状態に保持することができるようになされていることを特徴とする。
【００１２】
また、本考案の請求項５に記載のバッグは、前記バッグ本体の一方の取付部に肩紐の一端部の係止部を挿通し、前記バッグ本体の他端の取付部に肩紐の他端部の係止部を挿通し、前記バッグ本体の横マチ部または底部の何れか一方または両方に形成された肩紐ガイド部に前記肩紐の一端部及び他端部の係止部を夫々挿通し、肩紐の一端部及び他端部の係止部を相互に係止させ、前記バッグ本体の上部から突出する肩紐の長さを短く調節した状態に保持することができるようになされていることを特徴とする。
【考案の効果】
【００１３】
本考案によれば、バッグの肩紐の大幅な長さの調節ができ、作業が容易で簡易迅速に長さを調節することができ、更に、肩紐の取付方法の変更により、肩紐の複数の使用態様を得ることができ、肩紐の材質が限定されず、外観を向上させることができるバッグを得ることができる効果を奏するものである。
【図面の簡単な説明】
【００１４】
【図１】本考案に係るバッグを示すもので、バッグ本体に取付けられる肩紐を一番長い肩紐として使用している状態の斜視図。
【図２】本考案に係るバッグを示すもので、肩紐をバッグ本体に形成した肩紐ガイド部に挿通して肩紐の長さを調節した状態の底部側の斜視図。
【図３】本考案に係るバッグを示すもので、肩紐をバッグ本体に形成した肩紐ガイド部に挿通して肩紐を把手状態にして使用している状態の斜視図。
【図４】本考案に係るバッグを示すもので、肩紐をバッグ本体に形成した肩紐ガイド部に挿通して肩紐の長さを調節した状態の斜視図。
【図５】本考案に係るバッグを示すもので、肩紐をバッグ本体に形成した肩紐ガイド部に挿通して肩紐の両端部の係止部相互を係止させ、係止部をバッグ本体の底部の肩紐ガイド部により遮蔽し、肩紐の長さを調節した状態の斜視図。
【図６】本考案に係るバッグを示すもので、肩紐をバッグ本体に形成した肩紐ガイド部に挿通して肩紐を収納した状態の斜視図。
【考案を実施するための形態】
【００１５】
以下本考案に係るバッグを図面を参照して詳述する。
図１乃至図６には本考案に係るバッグの異なる使用状態の概略が夫々示されており、図１はバッグ本体に取付けられる肩紐を一番長い肩紐として使用している状態の斜視図であり、肩紐を通常のショルダーバッグとして、または斜め掛け可能なショルダーバッグのショルダーベルトとなるように形成したものである。
【００１６】
本考案に係るバッグ１１は正面から見て略四角形状のメイン収納部を有するバッグ本体１２と、このバッグ本体１２の上部に少なくも２ヶ所の丸型金具からなる取付部１５，１５が形成されている。バッグ本体１２の上部の開閉はファスナー１８式となっているが、これに限定されるものではない。尚、バッグ本体１２の上部に限らず下部等の他の部分に取付部１５，１５を形成することもでき、更に上部と下部に取付部１５，１５を夫々設けることもできる。符号１９はファスナー１８の開閉把手である。
【００１７】
バッグ本体１２の形状も長方形状のものに限定されるものではなく、半円形状または楕円形状とすることもできる。取付部１５，１５も丸型金具に限定されるものではなく、長方形状のもの、または半円形状とすることができ、その他適宜の形状とすることができる。更にバッグ本体１２の上部の丸型金具からなる取付部１５，１５と共に、バッグ本体１２の下部にも同様の取付部１５，１５を設けてもよい。
【００１８】
前記バッグ本体１２の丸型金具からなる取付部１５，１５には、両端部にフック状の係止部１６，１６が形成された肩紐１４が取付けられる。即ち、肩紐１４の両端部のフック状の係止部１６，１６を前記バッグ本体１２の丸型金具からなる取付部１５，１５に夫々係止することにより斜め掛け可能なショルダーバッグとしてのショルダーベルトとして使用することができる。
【００１９】
バッグ本体１２と肩紐１４とは同一素材、同一デザインの生地を用いることができるが、異なる材質のものを用いることもできる。バッグ本体１２の前面側にはマチ付きのオープンポケット１３が形成され、背面側にファスナーポケット１７が形成されている。また肩紐１４は比較的細く形成されているが、これに限定されるものではなく、適宜の太さに変形変更することができる。
【００２０】
図１及び図２に示すように、バッグ本体１２の横マチ部１２ａ及び底部１２ｂには肩紐ガイド部２１，２２が形成されている。横マチ部１２ａの肩紐ガイド部２１は上下一対形成されているが、肩紐ガイド部２１は横マチ部１２ａの中間に１個設けるものであってもよく、帯状であってもよい。これらの肩紐ガイド部２１は両端をビス２１ａ等により固着されている。また底部１２ｂの肩紐ガイド部２２は前後の端部が縫着部２２ａにより縫着されている。
【００２１】
前記バッグ本体１２の底部１２ｂの肩紐ガイド部２２は帯状に形成され、肩紐１４の両端部のフック状の係止部１６，１６を、後述する如く、この肩紐ガイド部２２で被覆して用いることができるものである。尚、バッグ本体１２の底部１２ｂの肩紐ガイド部２２を短く形成し、左右一対設けるものであってもよく、または横マチ部１２ａの肩紐ガイド部２１と同様の形状とすることもできる。
【００２２】
尚、肩紐ガイド部２２の素材が滑り難い材質から形成されている場合には、内側にバッグ本体１２と異なる滑りのよい材質を用いることができる。また肩紐１４の両端部のフック状の係止部１６，１６が挿通し得る大きさで、適宜のステッチを設けることもできる。
【００２３】
図３に示す如く、前記肩紐１４を２重となるようにして手提げ型のバッグ１１の把手に形成したものである。即ち、バッグ本体１２の一方の取付部１５（本実施例では右側）に肩紐１４の一端部の係止部１６を掛け止め、前記肩紐１４の他端部の係止部１６を前記バッグ本体１２の他方の取付部１５に挿通している。
【００２４】
前記肩紐１４の他端部の係止部１６を横マチ部１２ａの肩紐ガイド部２１、及び図２に示す底部１２ｂの肩紐ガイド部２２に夫々ガイドさせると共に、前記バッグ本体１２の一方の取付部１５に挿通し、前記バッグ本体１２の上方に引出し、他方の取付部１５に肩紐１４の他端部の係止部１６を掛け止めることにより、前記バッグ本体１２の上部から突出する肩紐１４を２重状態として把手として使用することができる。
【００２５】
次に、図４に示す如く、前記バッグ本体１２の一方の取付部１５（本実施例では左側）に肩紐１４の一端部の係止部１６を掛け止め、肩紐１４の他端部の係止部１６を横マチ部１２ａの肩紐ガイド部２１、及び図３に示す底部１２ｂの肩紐ガイド部２２に夫々ガイドさせ、更に肩紐１４の他端部の係止部１６を他方の横マチ部１２ａの肩紐ガイド部２１にガイドさせる。
【００２６】
次いで、肩紐１４の他端部の係止部１６を前記バッグ本体１２の他方の取付部１５に挿通し、肩紐１４の他端部の係止部１６をバッグ本体１２の上方に引出し、肩紐１４の他端部の係止部１６を前記肩紐１４の一端部の係止部１６と共に前記バッグ本体１２の一方の取付部１５に掛け止めることにより、前記バッグ本体１２の上部から突出する肩紐１４の長さを短く調節した状態に保持することができる。
【００２７】
また、図５に示す如く、前記バッグ本体１２の一方の取付部１５に肩紐１４の一端部の係止部１６を挿通し、前記バッグ本体１２の他端の取付部１５に肩紐１４の他端部の係止部１６を挿通し、前記バッグ本体１２の横マチ部１２ａまたは底部１２ｂの何れか一方または両方に形成された肩紐ガイド部２１、２２に前記肩紐の一端部及び他端部の係止部１６，１６を夫々挿通する。
【００２８】
尚、肩紐１４の一端部及び他端部の係止部１６，１６を底部１２ｂの肩紐ガイド部２２の外側で相互に係止させた後、係止部１６，１６を肩紐ガイド部２２の内側に挿入することにより、係止部１６，１６を被覆することができる。これにより、前記バッグ本体１２の上部から突出する肩紐１４の長さを短く調節した状態に保持することができる。尚、係止部１６，１６相互の係止状態の図示はこれを省略する。
【００２９】
次に、図６には、前記バッグ本体１２の肩紐ガイド部２１，２２に肩紐１４を挿通して、肩紐１４を収納した状態がしめされている。前記バッグ本体１２の一方の取付部１５に肩紐１４の一端部の係止部１６を挿通し、肩紐１４の一端部の係止部１６を横マチ部１２ａの肩紐ガイド部２１、及び図２に示す底部１２ｂの肩紐ガイド部２２に夫々ガイドさせる。
【００３０】
更に肩紐１４の一端部の係止部１６を他方の横マチ部１２ａの肩紐ガイド部２１にガイドさせる。前記バッグ本体１２の他端の取付部１５に肩紐１４の一端部の係止部１６を挿通し、肩紐１４の一端部の係止部１６と他端部の係止部１６とを上方に引き出す。（図６に想像線で示す。）
次いで、肩紐１４の一端部の係止部１６と他端部の係止部１６とを夫々反転させ、前記バッグ本体１２の横マチ部１２ａまたは底部１２ｂの肩紐ガイド部２１にガイドさせる。そして、図５と同様に、肩紐１４の一端部及び他端部の係止部１６，１６を底部１２ｂの肩紐ガイド部２２の外側で相互に係止させた後、係止部１６，１６を肩紐ガイド部２２の内側に挿入することにより、肩紐ガイド部２２により係止部１６，１６を被覆することができる。
【００３１】
尚、バッグ本体１２の下部に取付部１５，１５を形成した場合には、この下部の取付部１５，１５に肩紐１４の一端部及び他端部の係止部１６，１６を夫々係止することもできる。更に前記実施態様において、上部の取付部１５，１５を下部の取付部１５，１５と読み替えることもできる。
【産業上の利用可能性】
【００３２】
本考案に係わるバッグは婦人用のバッグとしてのデザインにより説明したが、男性用のバッグ、または学生用のバッグとしても利用することができるものである。
【符号の説明】
【００３３】
１１    バッグ
１２    バッグ本体
１２ａ  横マチ部
１２ｂ  底部
１３    オープンポケット
１４    肩紐
１５    取付部
１６    係止部
１７    ファスナーポケット
１８    ファスナー
１９    開閉把手
２１    肩紐ガイド部
２１ａ  ビス
２２    肩紐ガイド部
２２ａ  縫着部
【図１】
0003158582.tif 000003
【図２】
0003158582.tif 000004
【図３】
0003158582.tif 000005
【図４】
0003158582.tif 000006
【図５】
0003158582.tif 000007
【図６】
0003158582.tif 000008